(57)【要約】      （修正有）【課題】ロウソクを燭台や提灯等の針へ容易に着脱でき、ロウソクの揺動や転倒を防止でき、ロウソクの大きさによる孔種類に関係なく、各種燭台や提灯の針へ装着でき、環境にやさしいロウソクを提供する。【解決手段】ロウソク本体１１と、ロウソク本体のほぼ中心に位置する芯１２とによって構成され、ロウソク本体の下部に、ロウソクをロウソク立てに設置する際にロウソク立ての針を挿入するための孔１３が設けられているロウソクであって、該孔に植物性発泡樹脂２０を充填する。【選択図】図１
0003172290.tif 000002
【実用新案登録請求の範囲】
【請求項１】
ロウソク本体と、ロウソク本体のほぼ中心に位置する芯とによって構成され、ロウソク本体の下部に、ロウソクをロウソク立てに設置する際にロウソク立ての針を挿入するための孔が設けられているロウソクであって、該孔に植物性発泡樹脂を充填していることを特徴とするロウソク。
【考案の詳細な説明】
【技術分野】
【０００１】  本考案は、燭台の支持針で支持するロウソク底部支持構造に関するものである。
【背景技術】
【０００２】  通常、ロウソクは、製造時にロウソクの底部に所定深さの孔が形成され、この孔を燭台の支持針に嵌合することにより燭台に支持される。燭台の上端には、ロウソクを支持するためのロウソク支持部が形成され、上方に向かって延出する支持針が設けられている。【０００３】  特許文献１では、ロウソクの芯を数条の紡糸を平行に集列して円柱状を構成し、一端を打ち潰して扁平にし、これを巻いて円錐状の孔としたロウソク芯の構造が提案され、燭台の支持針と程よく密接するのでロウソクの揺動を防止し、ロウソク下部の破損を防止している。しかしながら、上記従来のロウソク芯構造を製造するには、手間とコストがかかり、また寸法が安定した孔を製造できないといった問題点がある。
特許文献２では、ロウソクの孔に硬煉鬢を充填したロウソクが提案され、ロウソクの揺動や脱落を防止している。しかしながら、上記従来のロウソク構造は、鬢の密度にバラツキがありあり、支持針のサイズによって挿入が困難になり、ロウソク孔部燃焼時に、毛の匂いが発生する等の問題点がある。
特許文献３では、ロウソクの孔に不揮発性粘性油を含ませた粘度物質を充填した抜脱防止ロウソクが提案され、地震時等による衝撃による転倒で、ロウソクの支持針からの抜脱を防止している。しかしながら、不揮発性粘性油は、長期に亘ってその粘度物質の粘着性を確保できない、ロウソクが燃焼した後燭台に不燃物が残り、処分する必要がある等の問題点がある。
特許文献４では、燭台の針の先端部に板状の略三角形の板状突起を設け、ロウソクの孔と嵌合させてロウソクの揺動を防止する提案がされているが、該孔は、各種の燭台に広く適用できるようにその口径が大きめに形成されているため、提案の燭台では、そのロウソクの種類に限定され、種々のロウソクに適用できないという問題がある。
特許文献５では、ロウソク本体下部に非蝋質材よりなる飾り台を設け、該飾り台下部に中空の弾性質材の直立化安定用部品を設けたロウソクが提案され、ロウソクの揺動を防止しているが、その構造が複雑でコストが高い、ロウソクが燃焼した後燭台に不燃物が残り、処分する必要がある等の問題点がある。
特許文献６では、ロウソクの孔部又は燭台いずれかに磁性体を設け、かつ他方に該磁性体を吸着する永久磁石を設けたロウソクの支持構造が提案され、ロウソクの揺動を防止しているが、ロウソクと燭台がマッチングしている必要があり、使い勝手が不便でコストが高い等の問題がある。【０００４】
【特許文献１】実明４０６９８号公報
【特許文献２】特明６１４２２号公報
【特許文献３】実開昭６２−３７０６３号公報
【特許文献４】特開２０００−１１３７２６号公報
【特許文献５】特開平１０−６０４７４号公報
【特許文献６】特開平９−６３３５３号公報
【考案の開示】
【考案が解決しようとする課題】
【０００５】  上述するような従来技術に鑑み、本考案では、ロウソクを燭台や提灯等の針へ容易に着脱でき、ロウソクの揺動や転倒による火災の発生を防止でき、ロウソクの大きさによる孔種類に関係なく、各種燭台や提灯の針へ装着でき、環境にやさしいロウソクを提供することを課題とする。
【課題を解決するための手段】
【０００６】  本考案の考案者は、上記課題を解決すべく鋭意検討を重ねた結果、以下の構成を有する考案を完成するに至った。
本考案の基本的な構成は、ロウソク本体と、ロウソク本体のほぼ中心に位置する芯とによって構成され、ロウソク本体の下部に、ロウソクをロウソク立てに設置する際にロウソク立ての針を挿入するための孔が設けられているロウソクにおいて、該孔に植物性発泡樹脂を設けたことを特徴とするもので、本考案の構成によって上記課題を実現できる。
上記植物性発泡樹脂は、トウモロコシなどのデンプンから得られる乳酸を原料とする植物由来の自然循環型のビーズ法発泡樹脂等が挙げられる。
【考案の効果】
【０００７】  本考案のロウソクは、ロウソク立ての針を挿入するための孔に植物性発泡樹脂を設けているので、ロウソクを燭台や提灯等の針へ容易に着脱でき、ロウソクの種類による孔大きさに関係なく、ロウソクの孔と燭台や提灯の針との間に隙間ができないので、ロウソクの揺動や転倒による火災の発生を防止でき、植物性発泡樹脂であるので、燃焼してもカーボンニュートラルで環境にやさしく、ロウソクの孔に直接針が接触していないので、ロウソク下端部を不用意に壊すことがない。
【考案を実施するための最良の形態】
【０００８】  以下、本考案を実施するための具体的な態様について、図面を参照しながら詳細に説明する。【０００９】  図１は、本考案のロウソク１０の実施例を示す側面図で、下部の一部を破断図で示している。
同図において、１１はロウソク本体で、１２は、ロウソク本体のほぼ中心に位置する芯、１３は、ロウソク本体１１下部に設けた孔、２０は、該孔１３に充填した植物性発泡樹脂である。孔１３は、従来公知の孔大きさより大きく形成され、該孔１３へ植物性発泡樹脂２０が挿入嵌合されている。植物性発泡樹脂２０は金型にて形成され、孔１３と嵌合する形状であるが、植物性発泡樹脂２０の形状の方がやや大きく形成され、挿入嵌合時に無理に挿入し、植物性発泡樹脂２０外形が圧縮され、孔１３に嵌合固着される。外形の小さいロウソク１１の孔１３は小さいので、ロウソク１１下部外周の割れを防止する目的で、発泡倍率が大きく、外形の大きいロウソク１１の孔１３は大きいので、発泡倍率の小さいものが適宜選択される。植物性発泡樹脂２０外形部は圧縮されて密度が高いが、中心部は圧縮されないので、発泡密度は所定の発泡密度であり、針３１（図２）が容易に挿入され、針３１に押し退けられた分だけ針３１の周囲の発泡密度が高くなり、ロウソク１１のグラツキを防止する。
図２は燭台３０で、ベース３２上に蝋を受ける皿３３と、皿３３中心に針３１が設けられている。【００１０】  植物性発泡樹脂２０の他の実施例として、孔１３と同形状に植物性発泡樹脂２０を形成し、外周にディンプル（図示せず）等の突起を設けて挿入嵌合してもよい。
また、植物性発泡樹脂２０の下部中心に三角錐の凹部２１を設け、針３１のガイドとしてもよい。【００１１】  上記作用は、まず燭台３０の針３１先端部へロウソク１０の下部植物性発泡樹脂２０に設けた三角錐の凹部２１へ当接し、ロウソク１２をほぼ垂直に立て押し込む。さらに押し込み、ロウソク１１下端部が燭台３０の皿３３に当接させ、ロウソク１１を垂直に立てる。芯に点灯し燃焼させ、最後になると植物性発泡樹脂２０も燃え尽きてしまい、有毒なガス等の発生はない。
【図面の簡単な説明】
【００１２】
【図１】本考案のロウソクを示す概略側面図
【図２】燭台の概略側面図
【符号の説明】
【００１３】１０  ロウソク
１１  ロウソク本体
１２  芯
１３  孔
２０  植物性発泡樹脂
２１  凹部
３０  燭台
３１  針
３２  ベース
【図１】
0003172290.tif 000003
【図２】
0003172290.tif 000004